(57)【要約】      （修正有）【課題】撮影時に後方から複数人が見えるように表示部を開いても撮影者の邪魔にならない撮像装置を提供する。【解決手段】ビデオカメラ本体部１０１の側面には表示部１０６がヒンジ１０７を介して取り付けられている。本体部側面には表示部収納できる収納部１０８が設けられている。表示部を開閉回転するヒンジ１０７は表示部側面の背面側に配置されている。ヒンジは２軸で構成されており、第１の軸では表示部を９０度開くことができ、第２の軸では表示部を２７０°回転することができる。【選択図】図１
2017028472.tif 000002
【特許請求の範囲】
【請求項１】
撮像装置の側面にスピーカーと、
撮影画像を表示する表示部と、
スピーカー後方に表示部を収納する収納部と、
収納部の後方に表示部と撮像装置をつなぐヒンジを備え、
表示部が光軸に直交して背面を向く状態に移動することを特徴とする撮像装置。
【請求項２】
上記スピーカーの直下に、肩パッドが付加しているまたは取り付けられる請求項１に記載の撮像装置。
【発明の詳細な説明】
【技術分野】
【０００１】
本発明は、撮像装置の表示部の配置に関する。
【背景技術】
【０００２】
従来より、業務機のビデオカメラでは筺体側面に表示部（１１０６）が搭載されている。撮影者が表示部を見ながら設定を確認したり、撮影画像または再生画像などを確認するために表示部が使用されている。さらに使用時の自由度を高めるために、表示部にヒンジ（１１０７）を備えて可動式液晶モニターの採用している機種もある。スピーカー（１１０５）位置の後方に表示部（１１０６）があり、表示部の前端部で、スピーカーの後方に表示部を可動させるヒンジ（１１０７）が設けられているものがある（図７）。
【０００３】
一方、取材や映画の撮影などにおいては複数人で撮影を行うことがある。そのような場合には、撮影時に撮影者以外の人にも撮影画像を見せる必要がある。そこで、別の表示部を装着して撮影することがある（特許文献１）。
【先行技術文献】
【特許文献】
【０００４】
【特許文献１】特許第５５４２１７６号公報
【発明の概要】
【発明が解決しようとする課題】
【０００５】
しかしながら、上記従来例では表示部を複数人で見るためにヒンジを開くと、表示部が撮影者の邪魔になり撮影しづらいといった問題があった。
【０００６】
また、別の表示部を装着した場合にはアダプタや表示部を別途付けるため、移動の際に収納できずに携帯性が低下するといった問題があった。
【課題を解決するための手段】
【０００７】
本発明の撮像装置は、撮像装置の側面にスピーカーと、撮影画像を表示する表示部と、スピーカー後方に表示部を収納する収納部と、収納部の後方に表示部と撮像装置をつなぐヒンジを備え、表示部が光軸に直交して背面を向く状態に移動することを特徴としている。
【０００８】
また、本発明のその他の特徴とするところは、スピーカーの略直下に、肩パッドが付加しているまたは取り付けられることを特徴としている。
【発明の効果】
【０００９】
本発明によれば、表示部１０６のヒンジ１０７を背面近傍に設けることで、撮影時に後方から複数人が見えるように表示部を開いても、表示部が背面近傍に移動するため、邪魔にならない配置を実現できる。これにより、別途表示部を装着する必要がなく、収納可能で携帯性も向上することができる。
【図面の簡単な説明】
【００１０】
【図１】実施例の概略図
【図２】実施例の概略詳細図
【図３】実施例の概略詳細図
【図４】実施例の概略図
【図５】実施例の概略図
【図６】実施例の概略図
【図７】従来例の図
【発明を実施するための形態】
【００１１】
以下、図を参照して本発明を実施するための形態について、図面を参照して詳細に説明する。
【００１２】
図１は本発明を適用したビデオカメラの一例である。ビデオカメラは本体部１０１及び本体に取り外しできる撮像レンズ１０２で構成されており、撮像レンズの方向の映像を撮影することができる。また、肩に担いで撮影する際に使用する肩パッド１０３が本体部１０１の底面部に装着できる。カラービューファインダー１０４を取り付けて本体部と接続することができるためカラービューファインダー１０４で映像を見ながら撮影できる。
【００１３】
スピーカー１０５は本体部１０１側面に配置されている。スピーカー１０５の略直下に肩パッド１０３が配置されている。これにより撮影者は肩パッド１０３部を右肩に乗せてカメラを担ぎながらカラービューファインダー１０４を覗いて映像を確認しつつ、スピーカー１０５を右耳に付けて音を確認しながら撮影できる。
【００１４】
本体部１０１の側面には表示部１０６がヒンジ１０７を介して取り付けられている。表示部１０６には片面に液晶パネルなどの画像の表示できるパネル部１０６−１がある。本体部１０１側面には表示部１０６を収納できる収納部１０８が設けられている。図１のように表示部の収納状態ではパネル部１０６−１が見えない状態であり、持ち運びなどの時にパネル部１０６−１への衝撃から守ることができる。表示部はスピーカー１０５の後方に配置されている。表示部を開閉回転するヒンジは表示部のスピーカーとは反対側の表示部側面で背面近傍に配置されている。ヒンジ１０７は２軸で構成されており、第１の軸（１０７−１）では表示部１０６を９０度開くことができる。また、第２の軸（１０７−２）では表示部１０６を２７０°回転することができる。
【００１５】
図２は収納状態より第一の軸（１０７−１）を９０°開き、第２の軸（１０７−２）を１８０°回転させた状態である。これにより通常、パネル部１０６−１を見ながら被写体を前方にして使用する場合は、９０°開いた表示部のパネル部１０６−１を後方より見ながら撮影することができる。このとき、表示部は背面近傍に光軸の直交している状態である。ローアングルやハイアングルの撮影を容易にするため、第２軸を動かすことで、表示部１０６の角度を自由に変えることができる。
【００１６】
図３は図２の状態より第一の軸を９０°閉じた状態である。この状態ではパネル部１０６−１を見ながら撮影条件の設定などができる。
【００１７】
図４は図２の表示部１０６の状態での撮影者の概略図である。この状態では、表示部１０６が撮影者の頭部から遠ざかるため邪魔にならない。また、表示部１０６を背面から見られる位置となり撮影者以外の人が撮影している映像を見ることが可能となる。
【００１８】
次に、撮影時の操作部について説明する。撮影者はビデオカメラを右肩に担いだ際に、右手はビデオカメラを支えるのために図示しないグリップやハンドルの保持に使用している。そのため、撮影時の詳細操作は左手でのみ可能となる。そこで、本発明のビデオカメラには撮影者側の側面で肩を避けた前方に撮影時に左手で使用する操作部１０９が設けられている。
【００１９】
操作部１０９の背面側は底面側に向けて広がる斜面で形成されている。これにより、撮影者の顔や肩などが当たることなく、撮影の邪魔にならない配置になっている。操作部の前面側はレンズの取り付く面より斜面で形成されている。これによりレンズの操作をする際に操作部が邪魔にならないような形態となっている。
【００２０】
図５、６は操作部形状をわかりやすくするために、本発明の一部を拡大した図である。図５のように操作部１０９は撮像装置側面より矢印側に突出して配置することにより、内側には空間１１０を設けている。肩パッドがこの空間に潜りこみ、図６の１０３−１の箇所のように肩パッドが操作部と重なる箇所まで前方に可動することができる。さらに、図６の矢印側に操作部が前方へ突出しているため、肩パッドが空間１１０に潜り込んでも、肩が触れる円弧状のショルダー当て部１０３−２が操作部１０９に重ならないため、肩が操作部１０９に触れることなく邪魔にならない。これにより肩パッドの前方への可動域が増え、装着するレンズの重さによって重心のバランスを変えたい時に、担ぎやすい位置に肩パッド１０３の位置を変えることができる。
【００２１】
以上、述べてきたように、操作部１０９の内側に肩パッドが可動する空間を設けることによって、肩パッドの前方への可動域が増えることで、担ぎやすいビデオカメラが実現できた。
【符号の説明】
【００２２】
１０１  本体部、１０２  撮像レンズ、１０３  肩パッド、
１０４  カラービューファインダー、１０５  スピーカー、１０６  表示部、
１０６−１  パネル部、１０７  ヒンジ、１０７−１  ヒンジ第一の軸、
１０７−２  ヒンジ第二の軸、１０８  収納部、１０９  操作部、１１０  空間
【図１】
2017028472.tif 000003
【図２】
2017028472.tif 000004
【図３】
2017028472.tif 000005
【図４】
2017028472.tif 000006
【図５】
2017028472.tif 000007
【図６】
2017028472.tif 000008
【図７】
2017028472.tif 000009